(57)【特許請求の範囲】
【請求項１】
画像とともに前記画像に付加する情報画像を表示する表示手段と、
地表に対する前記表示手段の表示面の高さを検出する高さ検出手段と、
前記高さ検出手段が検出した前記高さが所定の高さ以上となったとき、前記表示手段が表示する前記情報画像を、前記表示手段の表示面における上下方向に伸長する画像処理手段と、
前記画像処理手段が伸長した前記情報画像を表示するように前記表示手段を制御する表示制御手段と、を備えた、
ことを特徴とする表示装置。
【請求項２】
被写体を撮影して画像を得る撮影手段を備え、
前記表示手段は、前記撮影手段によって得られた画像とともに前記画像に付加する情報画像を表示する、
ことを特徴とする請求項１に記載の表示装置。
【請求項３】
使用者の指示に従って前記情報画像の伸長を開始させる前記表示面の伸長開始高さを設定する伸長開始高さ設定手段を備え、
前記画像処理手段は、前記伸長開始高さ設定手段が設定した伸長開始高さを前記所定の高さとして、前記高さ検出手段が検出した前記高さが前記伸長開始高さ以上となったとき、前記情報画像を前記表示手段の表示面における上下方向に伸長する、
ことを特徴とする請求項１又は２に記載の表示装置。
【請求項４】
前記使用者の指示に従って、前記情報画像の元の長さに対する伸長率を設定する伸長率設定手段を備え、
前記画像処理手段は、前記高さ検出手段が検出した前記高さが前記伸長開始高さ設定手段が設定した伸長開始高さ以上となったとき、前記伸長率設定手段が設定した伸長率に従って、前記情報画像を、前記表示手段の表示面における上下方向に伸長する、
ことを特徴とする請求項３に記載の表示装置。
【請求項５】
前記高さ検出手段が検出する高さと前記伸長率設定手段が設定する伸長率とを対応付けた対応関係情報を記憶する記憶手段を備え、
前記画像処理手段は、前記記憶手段に記憶された対応関係情報に基づいて、伸長率を取得し、取得した伸長率に従って、前記情報画像を前記表示手段の表示面における上下方向に伸長する、
ことを特徴とする請求項４に記載の表示装置。
【請求項６】
前記表示手段は、文字又はアイコンを前記情報画像として、前記文字又はアイコンの少なくとも一方を伸長する、
ことを特徴とする請求項１乃至５のいずれか１項に記載の表示装置。
【請求項７】
画像とともに前記画像に付加する情報画像を表示する表示装置の情報画像表示方法であって、
前記表示装置の表示面の地表に対する高さを検出するステップと、
検出した前記高さが、所定の高さ以上となったとき、前記表示面に表示する前記情報画像を、前記表示面における上下方向に伸長するステップと、
伸長した前記情報画像を表示するステップと、を備えた、
ことを特徴とする表示装置の情報画像表示方法。
【請求項８】
コンピュータに、
画像とともに前記画像に付加する情報画像を表示する表示面の地表に対する高さを検出する手順、
検出した前記高さが、所定の高さ以上となったとき、前記表示面に表示する前記情報画像を、前記表示面における上下方向に伸長する手順、
伸長した前記情報画像を表示する手順、
を実行させるためのプログラム。
【発明の詳細な説明】
【技術分野】
【０００１】
本発明は、表示装置、表示装置の情報画像表示方法及びプログラムに関するものである。
【背景技術】
【０００２】
カメラを、装置本体とレンズ部とを分離し、装置本体に対してレンズ部が自由に回動するようにしたカメラがある（例えば、特許文献１参照）。
【０００３】
このような従来のカメラは、ハイアングル撮影時にレンズ部を下方に向けたり、ローアングル撮影時にレンズ部を上方に向けたりしても、ユーザは、カメラの表示画面を正面から見ることができるため、表示画面に表示された文字等の情報画像の変形（つぶれて）を防止し、情報画像を見やすくしている。
【特許文献１】特開２００４−２２１８６８号公報（第４，５頁、図１）
【発明の開示】
【発明が解決しようとする課題】
【０００４】
しかしながら、このような従来のカメラでは、レンズ部を回動させる機構が必要であり、その構造が複雑になる。
【０００５】
本発明は、このような従来の問題点に鑑みてなされたもので、使用者が斜めから表示画面を見た場合でも文字等の情報画像を見やすくすることが可能な表示装置、表示装置の情報画像表示方法及びプログラムを提供することを目的とする。
【課題を解決するための手段】
【０００６】
この目的を達成するため、本発明の第１の観点に係る表示装置は、
画像とともに前記画像に付加する情報画像を表示する表示手段と、
地表に対する前記表示手段の表示面の高さを検出する高さ検出手段と、
前記高さ検出手段が検出した前記高さが所定の高さ以上となったとき、前記表示手段が表示する前記情報画像を、前記表示手段の表示面における上下方向に伸長する画像処理手段と、
前記画像処理手段が伸長した前記情報画像を表示するように前記表示手段を制御する表示制御手段と、を備えたことを特徴とする。
【０００７】
被写体を撮影して画像を得る撮影手段を備え、
前記表示手段は、前記撮影手段によって得られた画像とともに前記画像に付加する情報画像を表示するようにしてもよい。
【０００８】
使用者の指示に従って前記情報画像の伸長を開始させる前記表示面の伸長開始高さを設定する伸長開始高さ設定手段を備え、
前記画像処理手段は、前記伸長開始高さ設定手段が設定した伸長開始高さを前記所定の高さとして、前記高さ検出手段が検出した前記高さが前記伸長開始高さ以上となったとき、前記情報画像を前記表示手段の表示面における上下方向に伸長するようにしてもよい。
【０００９】
前記使用者の指示に従って、前記情報画像の元の長さに対する伸長率を設定する伸長率設定手段を備え、
前記画像処理手段は、前記高さ検出手段が検出した前記高さが前記伸長開始高さ設定手段が設定した伸長開始高さ以上となったとき、前記伸長率設定手段が設定した伸長率に従って、前記情報画像を、前記表示手段の表示面における上下方向に伸長するようにしてもよい。
【００１０】
前記高さ検出手段が検出する高さと前記伸長率設定手段が設定する伸長率とを対応付けた対応関係情報を記憶する記憶手段を備え、
前記画像処理手段は、前記記憶手段に記憶された対応関係情報に基づいて、伸長率を取得し、取得した伸長率に従って、前記情報画像を前記表示手段の表示面における上下方向に伸長するようにしてもよい。
【００１１】
前記表示手段は、文字又はアイコンを前記情報画像として、前記文字又はアイコンの少なくとも一方を伸長するようにしてもよい。
【００１２】
本発明の第２の観点に係る表示装置の情報画像表示方法は、
画像とともに前記画像に付加する情報画像を表示する表示装置の情報画像表示方法であって、
前記表示装置の表示面の地表に対する高さを検出するステップと、
検出した前記高さが、所定の高さ以上となったとき、前記表示面に表示する前記情報画像を、前記表示面における上下方向に伸長するステップと、
伸長した前記情報画像を表示するステップと、を備えたことを特徴とする。
【００１３】
本発明の第３の観点に係るプログラムは、
コンピュータに、
画像とともに前記画像に付加する情報画像を表示する表示面の地表に対する高さを検出する手順、
検出した前記高さが、所定の高さ以上となったとき、前記表示面に表示する前記情報画像を、前記表示面における上下方向に伸長する手順、
伸長した前記情報画像を表示する手順、
を実行させるためのものである。
【発明の効果】
【００１４】
本発明によれば、ユーザが斜めから表示画面を見ても文字等の表示内容を見やすくすることができる。
【発明を実施するための最良の形態】
【００１５】
以下、本発明の実施形態に係る表示装置を図面を参照して説明する。尚、本実施形態では、表示装置をデジタルカメラに適用して説明する。
本実施形態に係るデジタルカメラの構成を図１に示す。
本実施形態に係るデジタルカメラ１は、光学レンズ装置１１と、イメージセンサ１２と、メモリ１３と、表示装置１４と、ＧＰＳセンサ１５と、画像処理装置１６と、操作部１７と、外部記憶ＩＯ装置１８と、プログラムコード記憶装置１９と、ＣＰＵ２０と、を備える。
【００１６】
このデジタルカメラ１は、図２（ａ）〜（ｃ）に示すように、電源ボタン３１とシャッタボタン３２とを上面部に、レンズ３３とフラッシュ３４とを前面部に、液晶モニタ３５と撮影ボタン３６と再生ボタン３７と伸長モードボタン３８とメニューボタン３９とコントロール部４０とを背面部に備える。
【００１７】
電源ボタン３１は、デジタルカメラ１の電源をオン、オフするためのボタンである。デジタルカメラ１は、電源ボタン３１が押下される毎に、電源をオン、オフする。シャッタボタン３２は、撮影を行うためのボタンである。
【００１８】
レンズ３３は、被写体の像を、内蔵する撮像素子（図示せず）に結像させるためのものである。フラッシュ３４は、被写体への照明を行うためのものである。
【００１９】
液晶モニタ３５は、画像、文字、アイコンを表示するものである。この文字、アイコンは、液晶モニタ３５に表示されるスルー画像に付加する情報画像である。液晶モニタ３５は、図３に示すように、文字として、例えば、静止画の画像サイズ、撮影可能枚数、画質等の画像情報を示す文字５１、日付・時刻を示す文字５２を表示し、アイコンとして、フラッシュモードアイコン５３、撮影モードアイコン５４、バッテリ残量表示アイコン５５等を表示する。
【００２０】
これらの文字５１、５２、アイコン５３〜５５は、ハイアングル撮影時又はローアングル撮影時、上下方向につぶれてみえてしまう。
【００２１】
このデジタルカメラ１は、このようなハイアングル撮影時又はローアングル撮影時でも、これらの文字５１、５２、アイコン５３〜５５がつぶれてみえないように、文字５１、５２、アイコン５３〜５５を高さ方向（上下方向）に伸長させて液晶モニタ３５に表示するように構成されている。
【００２２】
撮影ボタン３６は、撮影を選択するためのボタンであり、再生ボタン３７は、撮影によって得られた静止画の再生を指示するためのボタンである。
【００２３】
伸長モードボタン３８は、ハイアングル撮影時又はローアングル撮影時、文字５１、５２、アイコン５３〜５５を伸長させる伸長モードをオン、オフするためのボタンである。伸長モードは、伸長モードボタン３８が押下される毎に、オン、オフする。
【００２４】
メニューボタン３９は、液晶モニタ３５にメニューを表示するためのボタンである。メニューには、伸長設定メニューがあり、伸長設定メニューは、図４（ａ）に示すような伸長開始高さ設定メニュー、図４（ｂ）、（ｃ）にそれぞれ示すような伸長率設定メニューからなる。
【００２５】
伸長開始高さ設定メニューは、伸長モードがオンしたときに、文字５１、５２、アイコン５３〜５５の伸長を開始させるデジタルカメラ１の高さを設定するためのメニューである。図４（ａ）において、Ｌ１は、ハイアングル撮影時に文字５１、５２、アイコン５３〜５５の伸長を開始させる高さであり、Ｌ２は、ローアングル撮影時に文字５１、５２、アイコン５３〜５５の伸長を開始させる高さである。
【００２６】
図４（ｂ）に示す伸長率設定メニューは、高さＬ１が設定されたときに、高さＬ１以上のデジタルカメラ１の高さと、各高さにおける文字５１、５２、アイコン５３〜５５の伸長率と、の対応関係を設定するためのメニューである。
【００２７】
図４（ｃ）に示す伸長率設定メニューは、高さＬ２が設定されたときに、高さＬ２以下のデジタルカメラ１の高さと、各高さにおける文字５１、５２、アイコン５３〜５５の伸長率と、の対応関係を設定するためのメニューである。
【００２８】
コントロール部４０は、液晶モニタ３５に表示された静止画を選択するとともに、デジタルカメラ１の機能を選択、設定するためのものである。コントロール部４０は、アップキー４０Ｕと、ダウンキー４０Ｄと、左キー４０Ｌと、右キー４０Ｒと、セットキー４０Ｓと、からなる。
【００２９】
アップキー４０Ｕ、ダウンキー４０Ｄ、左キー４０Ｌ、右キー４０Ｒは、それぞれ、カーソルを上下左右に移動させて画像、メニューの選択を行うためのボタンである。セットキー４０Ｓは、選択された画像、メニューの入力を確定させるためのキーである。
【００３０】
図１に戻り、光学レンズ装置１１は、レンズ３３とその駆動部（図示せず）とを備えたものであり、イメージセンサ１２上に、被写体からの光を集光させて像を結像させる。
【００３１】
イメージセンサ１２は、結像した画像を、デジタル化した画像データとして取り込むためのものであり、ＣＣＤ（Charge
Coupled Device：電荷結合素子）等によって構成される。
【００３２】
メモリ１３は、画像データ等を記憶するものである。メモリ１３は、図５に示すように、センサ画像記憶領域１３ａと、表示画像記憶領域１３ｂと、作業データ記憶領域１３ｃと、を有する。
【００３３】
センサ画像記憶領域１３ａは、イメージセンサ１２が送出した画像データを、撮影する毎に一時記憶するための領域である。
【００３４】
表示画像記憶領域１３ｂは、液晶モニタ３５に画像、文字５１，５２、アイコン５３〜５５を表示させるときに、これらのデータを記憶するための領域である。
【００３５】
作業データ記憶領域１３ｃは、処理に必要なデータを記憶するための領域である。また、作業データ記憶領域１３ｃは、図３に示すような文字５１，５２、アイコン５３〜５５の各データ、図４（ａ）〜（ｃ）に示すような各メニューのデータを予め記憶する。
【００３６】
表示装置１４は、液晶モニタ３５に画像を表示させるためのものである。表示装置１４は、メモリ１３の表示画像記憶領域１３ｂに画像データ、メニューデータ、文字５１、５２、アイコン５３〜５５のデータが格納されると、表示画像記憶領域１３ｂから、このデータを読み出して、画像、メニュー、文字５１、５２、アイコン５３〜５５を液晶モニタ３５に表示する。
【００３７】
ＧＰＳ（Global Positioning System；全地球測位システム）センサ１５は、デジタルカメラ１の地表に対する高さＬを検出するのものである。ＧＰＳは、人工衛星を利用してＧＰＳセンサ１５の緯度・経度・高度等を検出するシステムである。ＧＰＳセンサ１５は、このＧＰＳを利用してデジタルカメラ１の地表に対する高さＬを検出する。
【００３８】
画像処理装置１６は、ＣＰＵ２０によって指示され、メモリ１３のセンサ画像記憶領域１３ａに一時記憶された画像データに対して画像処理を行う。
【００３９】
また、画像処理装置１６は、ＣＰＵ２０によって各伸長率が指定されて、文字５１、５２、アイコン５３〜５５を伸長するように指示されると、作業データ記憶領域１３ｃから、文字５１、５２、アイコン５３〜５５の各データを読み出す。そして、画像処理装置１６は、ＧＰＳセンサ１５が検出した高さＬに基づいてＣＰＵ２０が指定する伸長率に従い、これらの各データを上下方向に伸長する。
【００４０】
画像処理装置１６は、伸長した文字５１、５２、アイコン５３〜５５の各データをメモリ１３の表示画像記憶領域１３ｂに格納する。
【００４１】
操作部１７は、電源ボタン３１、シャッタボタン３２、撮影ボタン３６、再生ボタン３７、伸長モードボタン３８、メニューボタン３９、コントロール部４０、及びこれらのボタン、キーが操作されたとき、この操作情報をＣＰＵ２０に供給する機構部からなるものである。
【００４２】
外部記憶ＩＯ装置１８は、メモリカード２との間で、画像データ等の入出力を行うものである。メモリカード２は、外部記憶ＩＯ装置１８から画像データ等が供給されると、供給された画像データ等を記憶する。
【００４３】
プログラムコード記憶装置１９は、ＣＰＵ２０が実行するプログラムのデータを記憶するためのものであり、ＲＯＭ等によって構成される。プログラムコード記憶装置１９は、プログラムとして、後述する伸長設定処理、伸長モード処理のデータを記憶する。
【００４４】
ＣＰＵ２０は、デジタルカメラ１全体を制御するものである。ＣＰＵ２０は、操作部１７から供給された操作情報に基づいて各部を制御する。
【００４５】
次に本実施形態に係るデジタルカメラ１の動作を説明する。
操作部１７から、電源ボタン３１が押下された旨の操作情報が供給されると、デジタルカメラ１の電源をオンする。
【００４６】
ＣＰＵ２０は、操作部１７から、撮影ボタン３６が押下された旨の操作情報が供給されると、センサ画像記憶領域１３ａに記憶された画像データに基づいてスルー画像を生成し、生成したスルー画像のデータを表示画像記憶領域１３ｂに格納する。
【００４７】
そして、ＣＰＵ２０は、このスルー画像が液晶モニタ３５に表示されるように表示装置１４を制御する。
【００４８】
ユーザが、シャッタボタン３２を押下すると、操作部１７は、この操作情報をＣＰＵ２０に供給する。ＣＰＵ２０は、操作部１７から供給された操作情報に基づいて、撮影処理を実行する。ＣＰＵ２０は、撮影処理を実行した結果、センサ画像記憶領域１３ａに記憶された画像データを、外部記憶ＩＯ装置１８を介してメモリカード２に格納する。
【００４９】
再生ボタン３７が押下されると、操作部１７は、この操作情報をＣＰＵ２０に供給する。ＣＰＵ２０は、操作部１７から供給された操作情報に基づいて、画像データを、メモリカード２から外部記憶ＩＯ装置１８を介して読み出し、表示画像記憶領域１３ｂに格納する。そして、ＣＰＵ２０は、液晶モニタ３５にこの画像が表示されるように表示装置１４を制御する。
【００５０】
メニューボタン３９、コントロール部４０の各キーが押下されて、伸長設定メニューが選択されたとき、ＣＰＵ２０は、プログラムコード記憶装置１９から、伸長設定処理のプログラムデータを読み出す。そして、ＣＰＵ２０は、図６に示すフローチャートに従って、この伸長設定処理を実行する。
【００５１】
ＣＰＵ２０は、伸長開始高さＬ１，Ｌ２を設定する（ステップＳ１１）。即ち、ＣＰＵ２０は、作業データ記憶領域１３ｃから、図４（ａ）に示す伸長開始高さ設定メニューのメニューデータを読み出す。
【００５２】
ＣＰＵ２０は、読み出したこのメニューデータを表示画像記憶領域１３ｃに格納し、この伸長開始高さ設定メニューが液晶モニタ３５に表示されるように表示装置１４を制御する。
【００５３】
ＣＰＵ２０は、操作部１７から、伸長開始高さＬ１，Ｌ２が入力された旨の操作情報が供給されると、この伸長開始高さＬ１，Ｌ２を作業データ記憶領域１３ｃに格納する。このようにして、ＣＰＵ２０は、伸長開始高さＬ１，Ｌ２を設定する。
【００５４】
伸長開始高さＬ１，Ｌ２を設定すると、高さＬと伸長率との対応関係を設定する（ステップＳ１２）。即ち、ＣＰＵ２０は、作業データ記憶領域１３ｃから、図４（ｂ）に示すハイアングル撮影時の伸長率設定メニューのメニューデータを読み出す。
【００５５】
ＣＰＵ２０は、読み出したこのメニューデータを表示画像記憶領域１３ｂに格納し、この伸長率設定メニューが液晶モニタ３５に表示されるように表示装置１４を制御する。
【００５６】
そして、ＣＰＵ２０は、この伸長率設定メニューが液晶モニタ３５に表示されるように表示装置１４を制御する。
【００５７】
ＣＰＵ２０は、操作部１７から、この伸長率設定メニューにおいて、ハイアングル撮影時の高さと伸長率とが入力された旨の操作情報が供給されると、これらのデータを作業データ記憶領域１３ｃに格納する。
【００５８】
次に、ＣＰＵ２０は、作業データ記憶領域１３ｃから、図４（ｃ）に示すローアングル撮影時の伸長率設定メニューのメニューデータを読み出す。
【００５９】
ＣＰＵ２０は、読み出したこのメニューデータを表示画像記憶領域１３ｂに格納し、この伸長率設定メニューが液晶モニタ３５に表示されるように表示装置１４を制御する。
【００６０】
ＣＰＵ２０は、操作部１７から、この伸長率設定メニューにおいて、ローアングル撮影時の高さと伸長率とが入力された旨の操作情報が供給されると、これらのデータを作業データ記憶領域１３ｃに格納する。このように高さＬと伸長率との対応関係を設定すると、ＣＰＵ２０は、この伸長設定処理を終了させる。
【００６１】
ＣＰＵ２０は、このような伸長設定処理の実行後、操作部１７から、撮影ボタン３６が押下され、さらに、伸長モードボタン３８が押下された旨の操作情報が供給されると、プログラムコード記憶装置１９から、伸長モード処理のプログラムデータを読み出す。そして、ＣＰＵ２０は、図７に示すフローチャートに従って、この伸長モード処理を実行する。
【００６２】
ＣＰＵ２０は、ＧＰＳセンサ１５から、デジタルカメラ１の高さＬを取得する（ステップＳ２１）。
【００６３】
ＣＰＵ２０は、取得したデジタルカメラ１の高さＬが伸長開始高さＬ１以上か否かを判定する（ステップＳ２２）。
【００６４】
デジタルカメラ１の高さＬが高さＬ１以上と判定した場合（ステップＳ２２；Ｙｅｓ）、ＣＰＵ２０は、画像処理装置１６に、設定した伸長率に従って文字５１、５２、アイコン５３〜５５を上下方向に伸長させるように指示する（ステップＳ２４）。
【００６５】
ＣＰＵ２０は、画像処理装置１６が伸長した文字５１、５２、アイコン５３〜５５が液晶モニタ３５に表示されるように表示装置１４を制御する（ステップＳ２５）。
【００６６】
デジタルカメラ１の高さＬが伸長開始高さＬ１未満と判定した場合（ステップＳ２２；Ｎｏ）、ＣＰＵ２０は、デジタルカメラ１の高さが伸長開始高さＬ２以下か否かを判定する（ステップＳ２３）。
【００６７】
デジタルカメラ１の高さＬが開始高さＬ２以下と判定した場合（ステップＳ２３；Ｙｅｓ）、ＣＰＵ２０は、画像処理装置１６に、設定した伸長率に従って文字５１、５２、アイコン５３〜５５を上下方向に伸長させるように指示する（ステップＳ２４）。
【００６８】
ＣＰＵ２０は、画像処理装置１６が伸長した文字５１、５２、アイコン５３〜５５が液晶モニタ３５に表示されるように表示装置１４を制御する（ステップＳ２５）。
【００６９】
デジタルカメラ１の高さＬが伸長開始高さＬ１未満であり、かつ、伸長開始高さＬ２を越えている場合（ステップＳ２２；Ｎｏ，ステップＳ２３；Ｎｏ）、ＣＰＵ２０は、伸長されなかった文字５１、５２、アイコン５３〜５５が液晶モニタ３５に表示されるように表示装置１４を制御する（ステップＳ２５）。
【００７０】
ＣＰＵ２０は、操作部１７から供給された操作情報に基づいて伸長モードがオフしたか否かを判定する（ステップＳ２６）。
【００７１】
ＣＰＵ２０は、操作部１７から伸長モードボタン３８が押下された旨の操作情報が供給されれば、伸長モードはオフしたと判定し、この操作情報が供給されなければ、伸長モードはオフせずに継続していると判定する。
【００７２】
伸長モードがオフしていないと判定した場合（ステップＳ２６；Ｎｏ）、ＣＰＵ２０は、再度、ＧＰＳセンサ１５から、デジタルカメラ１の高さＬを取得する（ステップＳ２１）。
【００７３】
一方、伸長モードがオフしたと判定した場合（ステップＳ２６；Ｙｅｓ）、ＣＰＵ２０は、この伸長モード処理を終了させる。
【００７４】
次に、このデジタルカメラ１の動作を具体的に説明する。
メニューボタン３９、コントロール部４０の各キーが操作されて、伸長開始高さＬ１，Ｌ２、高さと伸長率とが、図８（ａ）〜（ｃ）に示すように設定されたものとする。
【００７５】
伸長モードがオンしている場合、ユーザ３が、図９（ａ）に示すようにデジタルカメラ１を地表からＬ＝１５０cmの高さで構えると（ステップＳ２２,Ｓ２３；Ｎｏの場合）、ＧＰＳセンサ１５は、このデジタルカメラ１の高さＬを検出する。
【００７６】
バッテリ残量アイコン５５の場合、画像処理装置１６は、図１０に示すように、このバッテリ残量アイコン５５を、伸長率０％で伸長、即ち、バッテリ残量アイコン５５を伸長せずに表示画像記憶領域１３ｂに格納する。画像処理装置１６は、他の文字５１，５２、アイコン５３、５４も同様に伸長せずに表示画像記憶領域１３ｂに格納する。
【００７７】
表示装置１４が液晶モニタ３５に画像、文字、アイコンを表示すると（ステップＳ２５の処理）、ユーザ３は、図９（ｂ）に示すように、液晶モニタ３５に表示された画像とともに通常サイズの文字、アイコンを視認する。
【００７８】
次に、図１１（ａ）に示すように、ユーザ３がデジタルカメラ１を地表からＬ＝２１０cmの高さで構えた場合（ステップＳ２２；Ｙｅｓ）、伸長モードがオフであれば、ユーザ３が斜め下方向から視認する文字・アイコンは、図１１（ｂ）に示すようにつぶれてしまう。
【００７９】
ユーザ３が伸長モードボタン３８を押下して伸長モードをオンにすると、バッテリ残量アイコン５５の場合、画像処理装置１６は、図１０に示すように、バッテリ残量アイコン５５を伸長率１２０％で伸長して、このデータを表示画像記憶領域１３ｂに格納する。画像処理装置１６は、他の文字５１，５２、アイコン５３，５４も同様に、伸長率１２０％で伸長して表示画像記憶領域１３ｂに格納する。
【００８０】
表示装置１４が液晶モニタ３５に画像、文字、アイコンを表示した場合（ステップＳ２５の処理）、ユーザ３が液晶モニタ３５を正面から視認すると、表示される文字、アイコンは、図９（ｂ）に示す文字、アイコンと比べ、図１１（ｃ）に示すように上下方向に引き延ばされる。
【００８１】
図１１（ａ）に示すように、ユーザ３が液晶モニタ３５を斜め下方向から視認した場合、この文字、アイコンは、ユーザ３によって、図１１（ｄ）に示すように視認され、文字・アイコンを視認しやすくなる。
【００８２】
このように文字・アイコンを視認した状態で、ユーザ３がシャッタボタン３２を押下すると、ＣＰＵ２０は、撮影処理を実行する。
【００８３】
以上説明したように、本実施形態によれば、デジタルカメラ１は、ハイアングル撮影時又はローアングル撮影時に、文字・アイコンを伸長して液晶モニタ３５に表示するようにした。
【００８４】
従って、ユーザが斜めから液晶モニタ３５の表示画面を視認した場合でも、文字・アイコンを見かけ上、つぶれることがなく、文字・アイコンを見やすくすることができる。
【００８５】
尚、本発明を実施するにあたっては、種々の形態が考えられ、上記実施形態に限られるものではない。
例えば、上記実施形態では、ＧＰＳセンサ１５を用いてデジタルカメラ１の高さを検出するようにした。しかし、高さを検出するセンサは、ＧＰＳセンサ１５に限られるものではなく、例えば、重力加速度に基づいてデジタルカメラ１の高さを検出する加速度センサであってもよい。
【００８６】
また、デジタルカメラ１は、ユーザ３の身長データを入力するようにして、視認方向を正確に取得できるようにしてもよい。
【００８７】
また、デジタルカメラ１は、デジタルカメラ１の高さを検出するセンサの代わりに、デジタルカメラ１の傾きを検出する傾きセンサを備え、傾きセンサによって、ユーザの視認方向を取得するようにしてもよい。この場合、傾きセンサとしては、例えば、３軸式の加速度センサを用いることができる。
【００８８】
また、液晶モニタ３５の表示面に対するユーザの視認方向は、高さ方向に限られるものではなく、例えば、水平方向であってもよい。
【００８９】
上記実施形態では、ＣＰＵ２０は、伸長モード処理において、デジタルカメラ１の高さを取得したときに、文字、アイコンを伸長するように画像処理装置１６に指示した。しかし、伸長率が設定されたときに画像処理装置１６が文字、アイコンを伸長するようにしてもよい。
【００９０】
この場合、画像処理装置１６は、各伸長率で伸長した文字、アイコンのデータを処理データ記憶領域１３ｃに格納する。そして、ＣＰＵ２０は、この文字、アイコンのデータを、処理データ記憶領域１３ｃから読み出して表示画像記憶領域１３ｂに格納する。
【００９１】
上記実施形態では、画像処理装置１６がすべての文字、アイコンの上下方向に伸長するようにした。しかし、画像処理装置１６は、複数の文字、アイコンのうち、少なくとも１つを伸長するようにしてもよい。
【００９２】
上記実施形態では、表示装置をデジタルカメラに適用した場合について説明した。しかし、これに限られるものではなく、表示装置を、例えば、携帯電話、ＰＤＡ等の携帯端末に適用することもできる。
【００９３】
表示装置をこれらのものに適用することにより、例えば、使用者の目前に表示装置を掲げるスペースがないときに表示装置を高く持ち上げた場合でも、文字等がつぶれて見にくくなることがなくなる。
【００９４】
また、上記実施形態では、プログラムデータが、記憶装置等に予め記憶されているものとして説明した。しかし、撮影装置を、全体装置の全部又は一部として動作させ、あるいは、上述の処理を実行させるためのプログラムを、フレキシブルディスク、ＣＤ−ＲＯＭ（Compact Disk Read-Only Memory）、ＤＶＤ（Digital
Versatile Disk）、ＭＯ（Magneto Optical disk）などのコンピュータ読み取り可能な記録媒体に格納して配布し、これを別のコンピュータにインストールし、上述の手段として動作させ、あるいは、上述の工程を実行させてもよい。
【００９５】
さらに、インターネット上のサーバ装置が有するディスク装置等にプログラムを格納しておき、例えば、搬送波に重畳させて、コンピュータにダウンロード等するものとしてもよい。
【図面の簡単な説明】
【００９６】
【図１】本発明の本実施形態に係るデジタルカメラの構成を示すブロック図である。
【図２】図１に示すデジタルカメラの外観を示す図であり、（ａ），（ｂ），（ｃ）は、それぞれ、デジタルカメラの上面、前面、背面を示す。
【図３】図２に示す液晶モニタに表示される文字・アイコンの例を示す図である。
【図４】図２に示す液晶モニタに表示される伸長設定メニューを示す図であり、（ａ）は、ハイアングル撮影時の伸長開始高さ設定メニューを示し、（ｂ）は、ハイアングル撮影時の伸長率設定メニューを示し、（ｃ）は、ローアングル撮影時の伸長率設定メニューを示す。
【図５】図１に示すメモリの記憶領域を示す図である。
【図６】図１に示すＣＰＵが実行する伸長設定処理を示すフローチャートである。
【図７】図１に示すＣＰＵが実行する伸長モード処理を示すフローチャートである。
【図８】伸長設定が行われた例を示す図であり、（ａ）は、ハイアングル撮影時に伸長を開始させる高さとローアングル撮影時に伸長を開始させる高さとの設定例を示し、（ｂ）は、ハイアングル撮影時の各高さと伸長率との対応関係の例を示し、（ｃ）は、ローアングル撮影時の各高さと伸長率との設定例を示す。
【図９】（ａ）は、ユーザがデジタルカメラを通常の高さで保持したときの状態を示す図であり、（ｂ）は、ユーザが視認する液晶モニタの表示例を示す。
【図１０】各伸長率で伸長したバッテリ残量表示アイコンの例を示す図である。
【図１１】（ａ）は、ユーザがハイアングル撮影時にデジタルカメラを保持したときの状態を示す図であり、（ｂ）は、伸長モードがオフのときにユーザが視認する文字、アイコンの例を示し、（ｃ）は、伸長モードがオンのとき、液晶モニタに、伸長されて表示された文字、アイコンの例を示し、（ｄ）は、伸長モードがオンのときにユーザが視認する文字、アイコンを示す。
【符号の説明】
【００９７】
１・・・デジタルカメラ、１５・・・ＧＰＳセンサ、１６・・・画像処理装置、１４・・・表示装置、２０・・・ＣＰＵ、３５・・・液晶モニタ
【図１】
0004957541.tif 000002
【図２】
0004957541.tif 000003
【図３】
0004957541.tif 000004
【図４】
0004957541.tif 000005
【図５】
0004957541.tif 000006
【図６】
0004957541.tif 000007
【図７】
0004957541.tif 000008
【図８】
0004957541.tif 000009
【図１０】
0004957541.tif 000010
【図９】
0004957541.tif 000011
【図１１】
0004957541.tif 000012